【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
データを再生する再生手段と、
生体情報を検出する検出手段と、
上記検出された生体情報に基づいて上記データの再生を開始するタイミングを指示する指示手段と
からなるデータ再生指示装置。
【請求項２】
上記データは、オーディオデータ若しくは映像データの少なくとも一方のデータであることを特徴とする請求項１記載のデータ再生指示装置。
【請求項３】
上記生体情報は、体動、呼吸、心拍、脈拍、の少なくとも一つを示す情報である請求項１記載のデータ再生指示装置。
【請求項４】
上記指示手段は、音声、ブザー、発光素子および表示の何れかである請求項１記載のデータ再生指示装置。
【請求項５】
上記検出手段は、呼吸運動の吸期と呼期との間の変化点を検出し、
上記指示手段は、上記変化点が検出されたときに上記データの再生を開始するタイミングを指示することを特徴とする請求項１記載のデータ再生装置。
【請求項６】
上記検出手段は、脈拍を検出し、
上記指示手段は、上記脈拍に基づいて上記データの再生を開始するタイミングを指示することを特徴とする請求項１記載のデータ再生装置。
【請求項７】
データを再生する再生手段と、
生体情報を検出する検出手段と、
上記検出された生体情報に基づいて上記データの再生を開始するタイミングを制御する制御手段と
からなるデータ再生装置。
【請求項８】
上記データは、オーディオデータ若しくは映像データの少なくとも一方のデータであることを特徴とする請求項７記載のデータ再生装置。
【請求項９】
上記生体情報は、体動、呼吸、心拍、脈拍、の少なくとも一つを示す情報である請求項７記載のデータ再生装置。
【請求項１０】
上記指示手段は、音声、ブザー、発光素子および表示の何れかである請求項７記載のデータ再生装置。
【請求項１１】
上記再生されるデータは複数の部分データから構成されており、
上記制御手段は、上記検出された生体情報に基づいて各部分データの再生を開始するタイミングを制御することを特徴とする請求項８記載のデータ再生装置。
【請求項１２】
上記制御手段は、上記検出された生体情報に基づいて上記データの重要な部分から再生を開始させることを特徴とする請求項７記載のデータ再生装置。
【請求項１３】
上記検出手段は、呼吸運動の吸期と呼期との間の変化点を検出し、
上記制御手段は、上記変化点が検出されたときに上記データの再生を開始させることを特徴とする請求項７記載のデータ再生装置。
【請求項１４】
上記検出手段は、脈拍を検出し、
上記制御手段は、上記脈拍の最大値が検出されたときに上記データの再生を開始させることを特徴とする請求項７記載のデータ再生装置。
【請求項１５】
上記データ再生装置は、さらに、
複数の生体情報を記憶する記憶手段を備え、
上記制御手段は、上記複数の生体情報の中から選択された生体情報に基づいて上記データを再生させることを特徴とする請求項７記載のデータ再生装置。
【請求項１６】
データを送信する送信手段と、
生体情報を検出する検出手段と、
上記検出された生体情報に基づいて上記データを送信するタイミングを指示する指示手段と
からなるデータ送信指示装置。
【請求項１７】
データを送信する送信手段と、
生体情報を検出する検出手段と、
上記検出された生体情報に基づいて上記データを送信する送信タイミングを制御する制御手段と
からなるデータ送信装置。
【請求項１８】
データを記録媒体に記録する記録手段と、
生体情報を検出する検出手段と、
上記検出された生体情報に基づいて上記データを記録するタイミングを指示する指示手段と
からなるデータ記録指示装置。
【請求項１９】
データを記録媒体に記録する記録手段と、
生体情報を検出する検出手段と
上記検出された生体情報に基づいて上記データを記録するタイミングを制御する制御手段と
からなるデータ記録装置。
【請求項２０】
上記制御手段は、上記検出手段により検出された生体情報を上記記録手段により記録させることを特徴とする請求項１９記載のデータ記録装置。
【請求項２１】
データを再生する際、生体情報を検出し、
上記検出された生体情報に基づいて上記データを再生するタイミングを指示することを特徴とするデータ再生指示方法。
【請求項２２】
データを再生する際、生体情報を検出し、
上記検出された生体情報に基づいて上記データを再生する再生タイミングを制御することを特徴とするデータ再生方法。
【請求項２３】
生体情報を検出し、
上記検出された生体情報に基づいてデータを記録するタイミングを指示するデータ記録指示方法。
【請求項２４】
生体情報を検出し、
上記検出された生体情報に基づいてデータを記録するタイミングを制御し、
上記タイミングに基づいて上記データを記録媒体に記録するデータ記録方法。
【請求項２５】
検出された上記生体情報を上記データと共に記録させることを特徴とする請求項２４記載のデータ記録方法。
【手続補正２】
【補正対象書類名】明細書
【補正対象項目名】０００７
【補正方法】変更
【補正の内容】
【０００７】
【課題を解決するための手段】
上述した課題を解決するために、請求項１の発明は、データを再生する再生手段と、生体情報を検出する検出手段と、上記検出された生体情報に基づいて上記データの再生を開始するタイミングを指示する指示手段とからなるデータ再生指示装置である。
請求項７の発明は、データを再生する再生手段と、生体情報を検出する検出手段と、上記検出された生体情報に基づいて上記データの再生を開始するタイミングを制御する制御手段とからなるデータ再生装置である。
【手続補正３】
【補正対象書類名】明細書
【補正対象項目名】０００８
【補正方法】変更
【補正の内容】
【０００８】
請求項１６の発明は、データを送信する送信手段と、生体情報を検出する検出手段と、上記検出された生体情報に基づいて上記データを送信するタイミングを指示する指示手段とからなるデータ送信指示装置である。
請求項１７の発明は、データを送信する送信手段と、生体情報を検出する検出手段と、上記検出された生体情報に基づいて上記データを送信する送信タイミングを制御する制御手段とからなるデータ送信装置である。
【手続補正４】
【補正対象書類名】明細書
【補正対象項目名】０００９
【補正方法】変更
【補正の内容】
【０００９】
請求項１８の発明は、データを記録媒体に記録する記録手段と、生体情報を検出する検出手段と、上記検出された生体情報に基づいて上記データを記録するタイミングを指示する指示手段とからなるデータ記録指示装置である。
請求項１９の発明は、データを記録媒体に記録する記録手段と、生体情報を検出する検出手段と上記検出された生体情報に基づいて上記データを記録するタイミングを制御する制御手段とからなるデータ記録装置である。
【手続補正５】
【補正対象書類名】明細書
【補正対象項目名】００１０
【補正方法】変更
【補正の内容】
【００１０】
請求項２１の発明は、データを再生する際、生体情報を検出し、上記検出された生体情報に基づいて上記データを再生するタイミングを指示することを特徴とするデータ再生指示方法である。
請求項２２の発明は、データを再生する際、生体情報を検出し、上記検出された生体情報に基づいて上記データを再生する再生タイミングを制御することを特徴とするデータ再生方法である。
【手続補正６】
【補正対象書類名】明細書
【補正対象項目名】００１１
【補正方法】変更
【補正の内容】
【００１１】
請求項２３の発明は、生体情報を検出し、上記検出された生体情報に基づいてデータを記録するタイミングを指示するデータ記録指示方法である。
【手続補正７】
【補正対象書類名】明細書
【補正対象項目名】００１２
【補正方法】変更
【補正の内容】
【００１２】
請求項２４の発明は、生体情報を検出し、上記検出された生体情報に基づいてデータを記録するタイミングを制御し、上記タイミングに基づいて上記データを記録媒体に記録するデータ記録方法である。